(57)【特許請求の範囲】
【請求項１】
ボイドパンタグラフを生成する方法であって、
１つ又は複数のフィルタを用いて画像をフィルタリングして、パンタグラフ前景についての少なくとも１つの領域、及びパンタグラフ背景についての少なくとも１つの他の領域を識別することと、
前記パンタグラフ背景又は前記パンタグラフ前景の少なくとも一方の静的な特性を設定することと、
前記パンタグラフ背景又は前記パンタグラフ前景の前記少なくとも一方の前記静的な特性を維持する間に、前記パンタグラフ背景又は前記パンタグラフ前景の前記少なくとも一方の前記静的な特性について、前記パンタグラフ背景又は前記パンタグラフ前景の他方の少なくとも１つの特性を変更して、少なくとも２つのテストボイドパンタグラフを生成することと、
前記少なくとも２つのテストボイドパンタグラフの１つを第１のプリンタで印刷し、前記少なくとも２つのテストボイドパンタグラフの他方を前記第１のプリンタとは異なる第２のプリンタで印刷することと、
前記印刷された少なくとも１つのテストボイドパンタグラフについて前記パンタグラフ前景と前記パンタグラフ背景との類似性を評価することと、
前記評価と、ｉ）前記第１のプリンタ及び前記第２のプリンタのどちらが前記ボイドパンタグラフを配置するために使用されるか、ｉｉ）どちらの前記テストボイドパンタグラフが印刷される素地、又はｉｉｉ）ｉ及びｉｉの組み合わせとに基づいて、前記パンタグラフ前景及び前記パンタグラフ背景に関する配置特性を選択することと
を含む方法。
【請求項２】
前記１つ又は複数のフィルタは、
エッジフィルタ、カラーフィルタ、色相フィルタ、色度フィルタ、彩度フィルタ、輝度フィルタ、明度フィルタ、ルミネセンス（luminescence）フィルタ、テクスチャフィルタ、エントロピフィルタ、粒状性フィルタ、形状フィルタ、閾値フィルタ、画質フィルタ、畳み込みフィルタ、又はこれらの組み合わせから選択される
請求項１に記載の方法。
【請求項３】
前記静的な特性を設定することは、
前記パンタグラフ背景の前記静的な特性を設定すること
を含み、
少なくとも１つの他の領域内の黒画素のドットサイズを選択することと、
前記少なくとも１つの他の領域内の前記黒画素の濃度を選択することと
をさらに含む先行する請求項のいずれかに記載の方法。
【請求項４】
前記少なくとも１つの特性を変更することは、
前記パンタグラフ前景の前記少なくとも１つの特性を変更すること
を含み、
前記少なくとも１つの領域内の黒画素のドットサイズを選択することと、
前記少なくとも１つの領域内の前記黒画素の濃度を選択して、前記複数のテストパンタグラフの１つを生成することと、
前記少なくとも１つの領域内の前記黒画素の前記濃度を調整して、前記複数のテストパンタグラフの他方を生成することと
をさらに含む請求項３に記載の方法。
【請求項５】
前記パンタグラフ前景又は前記パンタグラフ背景の前記他方の前記少なくとも１つの特性を変更することは、
ドット形状、ドット方向、ドット密度、ドット色、ドット分布法、ドット間隔パターン、又はこれらの組み合わせを変更すること
を含む
先行する請求項のいずれかに記載の方法。
【請求項６】
前記パンタグラフ背景内の黒画素のドットサイズは、１ｘ１であり、
前記パンタグラフ前景内の黒画素のドットサイズは、２ｘ２であり、
前記黒画素の密度は、前記パンタグラフ前景及びパンタグラフ背景において独立して変更される
先行する請求項のいずれかに記載の方法。
【請求項７】
前記少なくとも１つのテストボイドパンタグラフをスキャンすることと、
前記少なくとも１つのテストボイドパンタグラフについて前記パンタグラフ前景が前記パンタグラフ背景と区別可能であるかを評価すること
をさらに含み、
前記選択された配置特性は、スキャン後、前記パンタグラフ前景を前記パンタグラフ背景と視覚的に異なるようにする特性を前記パンタグラフ前景が明示するかにさらに基づく
先行する請求項のいずれかに記載の方法。
【請求項８】
前記選択された配置特性を使用して、前記画像の少なくとも一部を前記ボイドパンタグラフに変換することと、
前記パンタグラフ前景及びパンタグラフ背景の両方が少なくとも半ば隠されオブジェクトの背景の一部であるように、前記ボイドパンタグラフを前記オブジェクトに配置することと
をさらに含む先行する請求項のいずれかに記載の方法。
【請求項９】
前記オブジェクトの少なくとも一部をスキャンして、前記パンタグラフ前景を明らかにすることと、
前記ボイドパンタグラフをセグメント化して、少なくとも１つの関心領域を識別することと、
前記少なくとも１つの関心領域を解析することと
をさらに含む請求項８に記載の方法。
【請求項１０】
前記ボイドパンタグラフセグメント化することは、
前記ボイドパンタグラフを閾値化して、前記ボイドパンタグラフを黒領域及び白領域に二値化することと、
関連する黒領域のエロージョンを実行して、前記関連する黒領域内の少なくともいくつかの画素を縮小させ、少なくともいくつかの他の画素を消去することと、
任意の残存する画素の拡張を行うことと、
前記拡張された残存する画素を用いて前記少なくとも１つの関心領域を形成することと
を含む
請求項９に記載の方法。
【請求項１１】
解析は検査、品質、認証、鑑識又はこれらの組み合わせについて前記関心領域を前記画像と比較することによって実行される
請求項９又は１０に記載の方法。
【請求項１２】
前記画像の一部は前記ボイドパンタグラフを生成するために利用され、
前記ボイドパンタグラフと前記ボイドパンタグラフに含まれない前記画像の他の部分とを利用して前記オブジェクトを認証すること
をさらに含む請求項８〜１１のいずれかに記載の方法。
【請求項１３】
前記ボイドパンタグラフを配置する前にセキュリティ情報を前記ボイドパンタグラフに符号化すること
をさらに含む請求項８〜１２のいずれかに記載の方法。
【発明の詳細な説明】
【技術分野】
【０００１】
本開示は、概して、ボイドパンタグラフ（void pantograph）及びボイドパンタグラフを生成する方法に関する。
【背景技術】
【０００２】
ボイドパンタグラフは、様々なセキュリティ文書について、コピーであることの証拠となる背景（copy-evident backgrounds）を生成するために使用される。
ボイドパンタグラフのいくつかの顕著な例は、例えば、複写された画像上に「ＶＯＩＤ」又は「ＣＯＰＹ」と表示するチェック（check）の背景として使用されるものである。
ボイドパンタグラフは、パッケージ、ラベル、文書などに使用され得る。
一般に、パンタグラフ手法（approach）は、可読であり影響され（acted upon）得る様々な別の情報を、見かけ上（in plain sight）隠すために使用され得る。
【図面の簡単な説明】
【０００３】
本開示の実施形態の特徴及び利点が、以下の詳細な説明及び図面を参照することにより明らかとなろう。ここで、同様の参照符号は、全く同一ではないが、同様の構成部分に対応する。
簡潔にするため、以前に説明された機能を有する参照符号又は特徴は、これらが出現する別の図面に関連して説明され得、又はされ得ない。
【０００４】
【図１】ボイドパンタグラフを生成して使用する方法の実施形態を示すフローチャートである。
【図２Ａ】画像の概略図である。
【図２Ｂ】ボイドパンタグラフが印刷された後の図２Ａの画像を介して形成されたボイドパンタグラフを示す図である。
【図２Ｃ】ボイドパンタグラフがスキャンされた後の図２Ｂのボイドパンタグラフを示す図である。
【図３】印刷及びスキャンの後のテストボイドパンタグラフの実施形態を示す図である。
【図４】図３のテストボイドパンタグラフの部分の拡大図を示す図である。ここで、この例示的な描写において、テストボイドパンタグラフは、同じ黒画素密度について異なるドットサイズで生成される。
【図５】図３のテストボイドパンタグラフの部分の拡大図を示す図である。ここで、この例示的な描写において、テストボイドパンタグラフは、異なるドットサイズ及び異なる黒画素密度で生成される。
【図６】図３のテストボイドパンタグラフの図５の部分の拡大図を示す図である。ここで、この例示的な描写においても、テストボイドパンタグラフは、異なるドットサイズ及び異なる黒画素密度で生成される。
【発明を実施するための形態】
【０００５】
詳細な説明
本明細書で開示されるボイドパンタグラフは、任意の望ましいオブジェクトのデジタル画像から生成される。
これらのボイドパンタグラフは、画像変換（image transformation）に起因し、そこでデジタルデータを符号化するために使用され得る。
このように、本明細書に開示されるボイドパンタグラフは、有利には、ステガノグラフィー（steganographic）、コピー防止、及びセキュリティペイロードキャリア（security payload carrier）としての役割のために、同時に使用され得る。
【０００６】
ここで、図１を参照して、本明細書で開示されるボイドパンタグラフを使用する方法が示される。
かなり一般的には、本方法は、参照符号１００に示すような、画像からボイドパンタグラフを生成することと、参照符号１０２に示すような、オブジェクトの背景の一部としてボイドパンタグラフを印刷してオブジェクトを配置する（deploy）ことと、参照符号１０４に示すような、オブジェクトの印刷された領域をスキャンして、パンタグラフの前景を明らかに（patent）又は顕在化（overt）させる（つまり、パンタグラフ背景及びオブジェクト前景と視覚的に区別可能である）ことと、参照符号１０６に示すような、スキャンされたエリア／領域（area/region）を読み取り解析することと、参照符号１０８に示すように、読み取り及び解析に基づいて、１つ又は複数のセキュリティ関連のタスクを実行することとを含む。
図１に示したステップのそれぞれは、１つ又は複数の他の図を参照して以下でさらに詳細に説明される。
【０００７】
ボイドパンタグラフ１０，１０'（例えば図２Ｃ及び図２Ｄを参照）を生成するステップは、図２Ａ〜図２Ｃにおいて概略的に示される。
ボイドパンタグラフ１０，１０'は、画像１２から生成される。画像１２の概略的な限定しない例は、図２Ａに示される。
画像１２は、デジタルカメラ、ビデオカメラ（camcorder）又はスキャナを用いて取得された画像を含む、任意のデジタル化された画像であり得る。
画像１２はまた、イメージングソフトウェア、グラフィックソフトウェア又はこれらと同様のものによって生成され得る。
画像１２は、任意の望ましい画像であり得、場合によっては、テキスト、形状（shapes）、グリフ（glyph）、任意の文書／印刷物に関するワークフロー（workflow）（つまり、ボイドパンタグラフの正確な読み取りを介して開始される任意のもの）を起動し例示化（instantiate）し継続し完了する等の組み込まれた情報、セキュリティアプリケーション、又は、可読であり解釈され得る他の情報を、組み込み得る。
【０００８】
画像１２は、１つ又は複数のフィルタを使用してフィルタリングされる。
このようなフィルタの限定されない例は、エッジフィルタ（例えば、Sobel法、Canny法、Laplace法、近傍分散（neighborhood variance）法、勾配法等）、カラーフィルタ、色相（hue）フィルタ、色度（chroma）フィルタ、彩度（saturation）フィルタ、輝度（brightness）フィルタ、明度（intensity）フィルタ、ルミナンス（luminance）フィルタ、テクスチャ（texture）フィルタ、ローカルエントロピフィルタ、粒状性（graininess）フィルタ、特定形状フィルタ、閾値（Otsu等）フィルタ、画質（sharpness）フィルタ、畳み込み（convolution）フィルタ、又は他のイメージングフィルタを含む。
画像１２をフィルタリングするためにフィルタの１つが選択され得ること、又は、画像１２をフィルタリングするために複数のフィルタが選択され得ることが、理解されよう。
フィルタは、そのフィルタに関する特性に基づいて、パンタグラフ前景１４（図２Ｃ参照）及びパンタグラフ背景１６（図２Ｃ参照）について１つ又は複数の領域を指定する。
例えば、エッジフィルタが画像１２をフィルタリングするために選択される場合、フィルタリングプロセスは、エッジ画素とエッジでない画素とを識別する。
そして、フィルタリングされた画素は、少なくとも部分的に、どの画素がパンタグラフ１０，１０'のそれぞれの領域を形成するのに適しているかに応じて、パンタグラフ前景１４又はパンタグラフ背景１６に割り当てられる。
これらの前景及び背景画素は、自動的に、又は、双方のサンプルを印刷して印刷されたサンプルに基づいて選択されることによって、選択され得る。
一実施形態では、より高い情報領域（例えば、より高いエッジコンテンツ、イメージエントロピ、又はイメージ高頻度（high frequency）コンテンツ）が、より低い情報領域から分離されて、よいボイドパンタグラフ画像を生成する。
エッジフィルタに関する例において、エッジ画素は、パンタグラフ前景１４に割り当てられ得、エッジでない画素は、パンタグラフ背景１６に割り当てられ得る。
【０００９】
本明細書では、語句「パンタグラフ前景」は、オブジェクト上に印刷された後は隠され（covert）又は半ば隠され（semi-covert）ている（図２Ｂ参照）が、オブジェクトの印刷された領域がスキャンされた後は明らか（patent）又は顕在化する（overt）（図２Ｃ参照）パンタグラフ１０，１０'の部分を参照する。
言い換えれば、パンタグラフ前景１４は、印刷後は詳しく調べれば人間の目で見え得る（図２Ｂ）が、パンタグラフ背景１６及びオブジェクト前景（図示せず）の両方と区別することはほとんどできない。
また、本明細書では、語句「パンタグラフ背景」は、オブジェクト上に印刷された後は隠され（covert）又は半ば隠され（semi-covert）ており（図２Ｂ参照）、オブジェクトの印刷された領域がスキャンされた後も視覚的に同じままである（図２Ｃ参照）パンタグラフ１０，１０'の部分を参照する。
【００１０】
画像１２の領域がパンタグラフ前景１４又はパンタグラフ背景１６に適しているとして識別されると、前景１４及び背景１６のそれぞれの特性は、結果として生じた（resulting）パンタグラフ１０，１０'についての配置特性（deployment characteristics）の望ましい組み合わせを決定するために、操られ（manipulated）、変更等され得る。
配置特性は、オブジェクト上に配置される最終的なパンタグラフ１０，１０'を生成するために使用される設定（例えば、ドットサイズ、ドット形状（shape）、ドット方向（orientation）、ドット色、ドット分布法、ドット間隔パターン、使用されるプリンタ、使用される素地（substrate）等）を含む。
【００１１】
一実施形態では、望ましいパンタグラフ背景１６の設定値（setting）が選択され、設定される。
望ましいパンタグラフ背景１６の設定値が決定されると、どの前景１４及び背景１６の組み合わせが最も望ましいパンタグラフ１０，１０'（印刷後及びスキャン後の両方）を提供するかを判断するために、前景１４の特性が直ちに（readily）変更され得る。
複数の背景１６の特性がテストされる間、望ましい前景１４の特性が選択され、静的であり得る。
いずれか場合、パンタグラフ前景１４またはパンタグラフ背景１６の一方について静的な特性を維持することによって、パンタグラフ背景１６またはパンタグラフ前景１４の他方の特性が直ちに（readily）テストされ得る。
評価されるパンタグラフ前景１４及びパンタグラフ背景１６の様々な組み合わせが、本明細書でテストパンタグラフＴＰ（スキャン後の、テストパンタグラフＴＰの１つの限定しない例が、図３に示される）と言及される。
実際のボイドパンタグラフ１０，１０'の配置について最良の特性を決定するためテストパンタグラフＴＰが異なる特性を試みるのに使用されることを除き、テストパンタグラフＴＰは、ボイドパンタグラフ１０，１０'と同様に、前景１４及び背景１６を含む。
【００１２】
図示しないが、複合テストパンタグラフ（multiple test pantographs）ＴＰは、パンタグラフ前景１４及びパンタグラフ背景１６の複数のペアをテストするために、単独のテストシート１０において用いられ得ることが、理解されよう。
１つの限定しない例として、以下の表１は、パンタグラフ前景１４及びパンタグラフ背景１６の様々なペアを例示し、６３個のテストパンタグラフＴＰを含む。
この例において、黒画素比率（pixel percent coverage）が、各組み合わせについて示される。ここで、１番目の数字は前景の割合であり、２番目の数字は背景の割合である。
示されるように、複数の静的な前景画素比率値が、様々な背景画素比率値とともにテストされる。
【００１３】
【表１】
0005178925.tif 000002
【００１４】
限定されない例示において、テストパンタグラフＴＰは２値（binary）であり、差分（differential）ドットサイズ及び差分黒画素濃度（concentration）を用いて生成される。
このようなテストパンタグラフＴＰの開示されるバージョンが、図４〜図６に示される。
これらの特性は本明細書において例示の目的で使用されるが、他の特性構成が使用され得ることが、理解されよう。
例えば、ドット形状、ドット方向、ドット密度、ドット色、ドット分布法、ドット間隔パターン、又はこれらの結合が、様々なテストパンタグラフＴＰを生成するために使用され得る。
【００１５】
１つの例において、１インチ当たり６００ドット（６００ｄｐｉ）のプリンタがテストパンタグラフＴＰを印刷するために使用される場合、２ｘ２画素ドット（例えば図３に示すような前景１４を作成すること）及び１ｘ１画素ドット（例えば図３に示すような背景１６を作成すること）がドットサイズについて選択され得る。
黒インク範囲（coverage）の比率はドット配置の密度を変更することによって変化し得る。
望ましい静的背景１６を選択するために、前景１４の特性を変更する前に複数の密度がテストされる。
例えば、背景１６のインク範囲比率は、背景１６の全領域の５％範囲から５０％範囲の幅の異なる値でテストされる。
これらの特性は、上述したのと同様のテストシートを使用してテストされ得る。
広範囲のテストシートがより小さく望ましい範囲に絞り込むために使用された後で、任意の他の変形（variance）が次の（つまり、ずらされた（staggered））テストシートにおいて使用され得ることが、理解されよう。
１つの限定しない例では、パンタグラフ背景１６についての１０％範囲は、適した濃度である。
このような範囲は、輝度を増加させる（つまり、知覚的な黒さ（perceptual blackness）が減少する）が、ドットはコピーされた場合に完全には消滅しない。したがって、前景１４のパターンをテストするのに適したドロップアウト背景が得られる。
配置された（deployed）ボイドパンタグラフ１０，１０'についての望ましい特性の少なくとも一部に応じて、他の背景１６がより適している可能性があると考えられる。
【００１６】
図４は、背景１６（１ｘ１画素ドットを含む）及び前景１４（２ｘ２画素ドットを含む）の両方が１０％黒ドット密度（black dot density）で印刷される、テストパンタグラフＴＰの１つの例の開示された図を示す。
この特定の例において、ランダムのドット配置は、モアレパターン等を回避するために使用される。
【００１７】
図５及び図６は、テストパンタグラフＴＰの別の例の開示された図を示す。
このテストパンタグラフＴＰ，１２において、前景１４のドット／画素の異なる相対的な濃度が、前景１４及び背景１６のどの組み合わせが所与のプリンタ及びスキャナと最適に働くかを決定するために、使用される（例えば、インクジェットプリンタで印刷した後のドットゲインは、紙の繊維にインクが広がることに少なくとも部分的に起因して、レーザージェットプリンタで印刷した後のドットよりもサイズがより近似したドットを作る傾向がある）。
図５において、パンタグラフ背景１６のより小さいドット（６００ｄｐｉにおいて１ｘ１）と比較した場合に、５０％高濃度の黒画素が、パンタグラフ前景１４のより大きなドット（６００ｄｐｉにおいて２ｘ２）について使用される。
図６において、より小さなドットは、より大きなドットよりも、５０％高濃度の黒画素を有する。
【００１８】
テストパンタグラフＴＰを生成して所与のプリンタについて最適なボイドパンタグラフ１０，１０'の特性（例えば密度）を検出する場合、１つ又は複数の前景１４の特性が変化する間、任意の背景１６の特性が一定となり得る。
１つの限定しない例では、前景１４の濃度が例えば１％又はそれ以下について４％から２５％（つまり、背景の１０％黒画素について４０％から２５０％）に変化する間、背景１６の黒画素濃度（例えば１０％黒画素）は、一定となり得る。
【００１９】
本明細書では記載されていないが、パンタグラフ前景１４について適切な特性が選択され、これらの特性が、様々なパンタグラフ背景１６の特性をテストする間、静的に保持されることも、理解されよう。
さらに、パンタグラフ前景１４及びパンタグラフ背景１６の両方は、最も望ましい配置特性を決定するために変更され得る。
【００２０】
図３〜図６の例は、前景１４の指定が重ならないテストパンタグラフＴＰを示す。
しかしながら、２又はそれ以上の前景１４のパターンが重なり合い得ることが、理解されよう。
限定しない例において、５％黒画素範囲濃度の前景１４が、２つのパンタグラフ１０，１０'の複数の領域に（又は、印刷された領域のほとんどにわたって）、配置され得る。従って、１０％黒画素範囲濃度の前景１４が、２つの前景１４が重なり合う部分に配置される。
この例において、背景１６の黒画素範囲濃度は、前景１４の黒画素範囲濃度に応じて、０％、５％又は１０％であり得る。
この例において、印刷された領域全体について、特定の領域の前景の黒画素範囲濃度に特定の領域の背景の黒画素範囲濃度を加えた合計は、１０％となる。
場合によっては、このことは、コピーの間ボイドパンタグラフ１０を目立たなくする（obscure）のに役立つ。つまり、この重なりが、印刷後は隠され、スキャン後に顕在化するといった、最も望ましいパンタグラフ前景１４を生成する。
この重なり手法の効果は、使用されるプリンタ、スキャナ、及び素地（substrate）（紙など）の、少なくとも一部に応じて、可変である。
【００２１】
背景１６及び前景１４の各組み合わせが生成された後、テストパンタグラフＴＰが印刷される。
任意の適切なプリンタが使用され得、場合によっては、複数のプリンタが使用され得る。
特性が様々なテストパンタグラフＴＰにおいて静的に維持されるか又は変更されるかを問わず、印刷後、最も類似するように見える背景１６及び前景１４の組み合わせが、配置候補として選択され得る。
言い換えれば、ｉ）スキャンの前は隠され又は半ば隠され、ｉｉ）スキャンの前は背景１６と視覚的に区別できない前景１４を有する印刷されたテストパンタグラフＴＰをもたらす特性が、選択され、次に配置されるボイドパンタグラフ１０，１０'を生成するために使用される。
印刷されたテストパンタグラフＴＰの前景１４と背景１６との類似性は、手動で（人間の監視者によって）査定及び評価され（evaluated and assessed）、又は、自動化された（例えば機械画像）プロセスによって点数付け（score）される。
【００２２】
多くの場合、次の配置のために選択されるテストパンタグラフＴＰを印刷するのに使用されるプリンタのタイプは、配置されたボイドパンタグラフ１０，１０'を印刷するために使用されるプリンタのタイプとして、選択される。
上述したように、特性は、プリンタによって異なり得、したがって、テストパンタグラフＴＰでみられる最良の特性をもたらすために、同じタイプのプリンタがボイドパンタグラフ１０，１０'を印刷するために選択され得る。
テストパンタグラフＴＰの評価の間に使用される他の要素も、次の配置プロセスにおいて実行され得る。
例えば、選択されたテストパンタグラフＴＰが印刷される素地が、ボイドパンタグラフ１０，１０'の次の配置において使用され得る。
【００２３】
テストパンタグラフＴＰを評価する場合、テストパンタグラフＴＰをスキャンしてスキャン後に同様に前景１４及び背景１６を比較することも望ましい。
スキャン後、パンタグラフ前景１４が顕在化し、したがって、パンタグラフ背景１６とは視覚的に異なる。
印刷及びスキャン後のテストパンタグラフＴＰの１つの限定しない例が、図３に示される。
この例において、印刷及びスキャンの両方の後、パンタグラフ前景１４内のプラス記号「＋」が、パンタグラフ背景１６と比較して明らか／顕在的になる。
【００２４】
全てのテストパンタグラフＴＰが印刷され、場合によってはスキャンされた後、最も望ましいテストパンタグラフＴＰを提供する前景１４及び背景１６の特性が、ボイドパンタグラフ１０，１０'についての配置特性として選択される。
【００２５】
そして、少なくとも画像１２（例えば図２Ａに示される）の一部が、選択された配置特性を使用してボイドパンタグラフ１０，１０'に変換される。
画像１２をボイドパンタグラフ１０，１０'に変換することは、画像１２をスキャンして変形する（transform）ことによって実行される。
画像１２を変形することは、前述したフィルタリングプロセスを介して決定されるように、画像１２の適切な画素をパンタグラフ前景１４及びパンタグラフ背景１６に割り当てることを含む。
【００２６】
画像１２をボイドパンタグラフ１０，１０'に変換するとき、画像１２は前景（例えば、一般的な高関心（例えば高頻度、高エントロピ、高エッジ（edginess））を含む領域）及び背景の領域にまでフィルタリングされる。
かなり目立った（so-marked）前景領域は、分散された前景１４のパンタグラフドットに置き換えられ（上書きされ）、背景領域は、分散された背景１６のパンタグラフドットに上書きされる。
【００２７】
生成されたボイドパンタグラフ１０は、オブジェクトの背景としてオブジェクト（図示せず）に印刷される。
本明細書で使用される用語「オブジェクト」は広く解釈され、限定されないが、任意のタイプのオブジェクト、製品、文書又はパッケージを含み得ることが、理解されよう。
同様に、用語「パッケージ」は、本明細書において、製品を収容し、製品を表示し、又は他のやり方でブランド商品を識別するための任意のユニットを含むように広く解釈される。
このようなパッケージの限定されない例は、箱、バッグ、ラベル、コンテナ、クラムシェル、バンド、テープ、ラップ、ひも、ボトル、瓶、容器（dispenser）、インサーション（insert）、他の文書、又は同様のもの、あるいはこれらの組み合わせを含む。
【００２８】
オブジェクトに印刷された任意の普通の情報（例えばテキスト、絵、ロゴ、グラフィックス、表及び同様のもの）が、オブジェクトの主要なペイロード（payload）であり、それゆえ、オブジェクトの前景を形成する。
一実施形態では、オブジェクトに印刷されたボイドパンタグラフ１０は、背景に印刷されたドットのように見える（図２Ｂ参照）。
普通の情報は、一般的には、スキャンが発生した後でボイドパンタグラフ前景１４が読み取られることを望ましくなく妨げることがないように、印刷される。
一実施形態では、普通の情報は、ボイドパンタグラフ１０上に全く印刷されない。
他の実施形態では、普通の情報は、スキャンの後、ボイドパンタグラフ前景１４の全て又は一部が、パンタグラフ背景１６及びオブジェクトの普通の情報／前景の両方と区別可能であるような方法で、ボイドパンタグラフ１０上に印刷される。
【００２９】
ステガノグラフィー（steganographic）の情報がボイドパンタグラフ１０，１０'に直接組み込まれ／符号化されることが、理解されよう。
このような情報は可変であり、それゆえ、一連の（例えば大規模にシリアル化された（mass serialized））ボイドパンタグラフ１０，１０'のそれぞれについて異なり得る。
いくつかの実施形態では、ステガノグラフィーの情報は、認証情報、セキュリティ情報、又はこれらの両方であり得る。
この情報は、トラッキング、印付け（branding）又は同様のもの、または、これらの様々な組み合わせのためであり得る。
他の実施形態では、この情報は、その情報の意図的でない受領者をミスリードする（mislead）ように意図されたおとり情報（decoy information）である。
さらに別の実施形態では、ボイドパンタグラフ１０，１０'に情報が隠されていない。
限定しない例として、透かし（watermark）、コピー検出パターン、及びライン／ハーフトーン（halftoning）／モアレパターンが、ボイドパンタグラフ１０，１０'において拡大縮小され（scaled）、描写され得る。
情報が包含されたパターンは、その生成の間にボイドパンタグラフ１０，１０'に組み込まれる。
場合によっては、その情報又はその情報についてのトークンは、ボイドパンタグラフ１０，１０'を形成するために使用される画像１２に組み込まれる。
【００３０】
情報をボイドパンタグラフ１０，１０'に符号化することの代用として、又は情報をボイドパンタグラフ１０，１０'に符号化することに加えて、他のステガノグラフィーの手法が、本明細書で開示されるボイドパンタグラフ１０，１０'とともに利用され得る。
この限定しない例においては、元の画像１２の部分（「全て」の対語として）は、ボイドパンタグラフ１０，１０'の生成の間に使用され得る。
この実施形態では、ボイドパンタグラフ１０，１０'に含まれない画像１２の部分は、ボイドパンタグラフ１０，１０'において見かけ上隠されるワークフローを有効にするために使用され得る。
例えば、ボイドパンタグラフ１０，１０'において利用されない画像１２の部分は、セキュアなレジストリに記憶され得、レジストリのボイドパンタグラフ１０，１０'及びオブジェクトの両方にリンクされ得る。
画像１２の部分がボイドパンタグラフ１０，１０'から抽出される場合（以下の本明細書でさらに説明される）、画像１２の部分は、オブジェクトを認証してそれらに関連する任意のワークフローを有効にするために、（セキュアなレジストリの）元の画像１２にアクセスする人によって使用され得る。
【００３１】
場合によっては、例えば、直接の人間の検証又は解釈が望ましいときは、ボイドパンタグラフ１０，１０'自身がメッセージであることが、理解されよう。
他の場合では、ボイドパンタグラフ１０，１０'自身はメッセージではないが、ボイドパンタグラフ１０，１０'のパターンは、他の場所に保持された画像のレジストリについて、トークン又はルックアップである。
ボイドパンタグラフ１０，１０'が解析されるとき（本明細書において以下でさらに説明される）、関心点又は関心領域が決定され、以前に識別されバックエンドレジストリに記憶された関心点／関心領域に最も適合することは、ボイドパンタグラフ１０，１０'が表すもの（例えばトークン、ノンス（nonce）、ルックアップ、ジョブエントリポイント、ワークフローキー又は同様のもの）を示し、それで、関連するワークフローがインスタンス化（instantiate）される。
【００３２】
配置された後、オブジェクトの印刷された領域は、任意の時に、スキャンされ得る。
スキャンによって、ボイドパンタグラフ１０，１０'の前景１４は、背景１６及びオブジェクト前景に印刷された情報と視覚的に区別可能なプロパティ（property）を明示する。
スキャンの後のボイドパンタグラフ１０'の限定しない例が、図２Ｃに示されている。
【００３３】
スキャンされた後、ボイドパンタグラフ１０，１０'の特徴物（feature）が、既存のセグメンテーションソフトウェアを用いて容易に識別され得る。
セグメンテーションの結果として、ボイドパンタグラフ１０'が集合して、有効な関心領域になる。
セグメンテーションは、ボイドパンタグラフ１０'を閾値化する（thresholding）ことを含む。セグメンテーションは、それを二値化し（binarize）、任意のインク領域を黒のままにし、任意のインクのない領域を白のままにする。
エロージョン（erosion）又は細線化（thinning）プロセスは、任意の関連する（connected）黒領域で実行され得る。
このプロセスは、ボイドパンタグラフ１０'の小さいドットを完全に消去し、大きなドットを、消去はしないが、縮小させる。
一般的に、１画素境界エロージョン（1-pixel boundary erosion）は、このステップを実行するのに十分であるが、ボイドパンタグラフ１０，１０'に使用されるドットサイズ（つまり、形状、方向、濃度／黒比率（percentage-black-coverage）等）の、少なくとも一部に応じて、変化し得る。
場合によっては、１つ又は複数のより小さいドットは完全には消去されない可能性があるが、一般的に、関心領域を識別することを妨げることはない。
【００３４】
エロージョン又は細線化の後、ボイドパンタグラフ１０'は、拡張（dilation）又は膨張（fattening）される。
このプロセスは、より大きなドットをこれらの元のサイズに戻すが、消去された小さいドットを再構成しない。
エロージョン及び拡張は、ｘ方向及びｙ方向のそれぞれになされ得る。
例えば、いくつかのドット構成の各方向における１だけのエロージョンの後に、そのドット構成の各方向における１だけの拡張が続く。
２ｘ２又はより大きなドットは、２つの単なるエロージョンの後、残存し、拡張オペレーションの後、元のサイズに戻る。
【００３５】
そして、１つ又は複数の関心領域は、残存するドットを用いて識別され、又は形成され得る。
一実施形態において、ランレングススミアリング（run length smearing）（例えば、画素の黒比率の逆数の平方根を用いること）は、余剰のドット（dots left over）を集めてそれらのオリジナルの関連する形状又は形（shape or form）にするために使用される。
これらの形は、１つ又は複数の形式の解析を受け得る関心領域である。
他の実施形態においては、ランレングススミアリングは実行されず、関心領域は膨張したドットで構成される。
ランレングススミアリングが実行されない場合、膨張したドットにおける前景１４対背景１６を識別するため、そして、関心領域を識別するために、テクスチャ解析が使用され得る。
他の実施形態においてランレングススミアリングが実行されない場合、エロージョン及び膨張の後で関心領域を識別するために、簡単な膨張／密度マップが使用され得る。
【００３６】
関心領域が、人間による評価、機械による評価又はこれらの両方を介して解析され得る。
人間による評価は、一般的には、元の画像と比較されたときに関心領域がどのように見えるかといった視覚に関連する。
一実施形態において、評価を行う人間は、例えば、セキュアなレジストリ（secure registry）に記憶され得る元の画像１２にアクセスする。
他の実施形態において、元の画像１２は、オブジェクトの他の場所に明白に印刷され得、それゆえ、セキュアなレジストリにアクセスすることなく、視覚が用いられうる（visual perception may be made）。
一般的に、人は、視覚的に、スキャンされたボイドパンタグラフ１０'の関心領域が、元の画像１２の対応する領域のように見えるかを解析する。
コピーすると顕在化する保護ブリッジ（overt-to-copy protection bridge）を生成するため、及び／又は、オブジェクトが本物であることを検証するために、元の画像１２の部分がボイドパンタグラフ１０，１０'から意図的に除去されたかを判断するため、及び／又は、ボイドパンタグラフ１０，１０'が可変であるか（つまり、ボイドパンタグラフ１０，１０'の正確な部分が、画像及び／又はオブジェクトから次の画像及び／又はオブジェクトに変化すること）を判断するために、人間の評価が使用され得る。
【００３７】
本明細書で上述したように、機械による評価も、ボイドパンタグラフ１０，１０'の関心領域を解析するために使用され得る。
ボイドパンタグラフ１０，１０'に組み込まれた（embedded）パターン（例えば、このようなパターンは画像１２の使用の結果として存在する）を解析するのに適した任意のタイプのパターン認識プロセスが使用され得ることが、理解されよう。
機械による評価は、ボイドパンタグラフ１０，１０'が特定のテキスト、形状又はグリフを含む場合に、特に有益であり得る。
１つの例として、特定のテキストが元の画像１２に含まれる場合、このようなテキストを解釈するために、ボイドパンタグラフ１０，１０'の関心領域において光学文字認識（ＯＣＲ）が実行され得る。
他の例として、特定の形状が元の画像１２に含まれる場合、このような形状を解釈するために、ボイドパンタグラフ１０，１０'の関心領域において、（例えば、フリーマン、チェーン、コーディングなどといった）形状解析が実行され得る。
形状解析は、ロゴ又は他のグラフィックがボイドパンタグラフ１０，１０'を形成するのに使用される場合に特に有益であり得る。
形状解析は、ボイドパンタグラフ１０，１０'のリバースエンジニアリングをより困難にすることも望まれ得る。
【００３８】
さらに別の実施形態では、グリフ解析が、ボイドパンタグラフ１０，１０'を解析するために使用される。
グリフは、例えば１Ｄ及び２Ｄのバーコードの、セキュリティに特化したマーク及びパターンを含む。
グリフはボイドパンタグラフ前景１４に含まれ得、それゆえ、スキャンに応じて浮かび上がる（emerge）。
グリフは、適切なセキュリティ印刷及びイメージング検査、認証及び／又は鑑識（forensic）アルゴリズムを用いて直接解析され得る関心領域に、セグメント化される。
（特定のボイドパンタグラフのインスタンス化、プリンタ、スキャナ及び素地に応じた様々なセキュリティペイロード密度とともに）含まれ直ちに解釈され得るグリフの例は、１Ｄ、２Ｄ及び３Ｄ（マルチグレイ（multi-gray）レベル）のバーコード、変調伝達関数（ＭＴＦ）目標、グラフィカル英数字（異なるグリフが異なる英数字文字を表すコードセット）、及び曲率ベース（curvature-based）のグリフ（例えば組みひも飾り（guilloche））である。
【００３９】
大規模シリアル化（mass serialization）、データ隠蔽、又は他のセキュリティ関連タスク（例えば、パンタグラフ１２は、他の明白に（すなわち可変の印刷領域を繰り返して）印刷された特徴物又は（例えばＵＶ、ＩＲインクを介して）隠されて印刷された特徴物にリンクされ得る）に一致する（consistent with）ボイドパンタグラフ１０，１０'における認証、意図的な変更の検証について、人間による評価又は機械による評価のいずれかは、元の画像１２（ユーザがこのような画像１２にアクセスした場合）をスキャンされたテストボイドパンタグラフ１０，１０'と比較するために使用され得る。
【００４０】
いくつかの実施形態が詳細に説明されたが、開示された実施形態が修正され得ることは、当業者にとって明らかである。
したがって、前述の記載は、限定ではなく例示であると見なされる。
【図１】
0005178925.tif 000003
【図２Ａ】
0005178925.tif 000004
【図２Ｂ】
0005178925.tif 000005
【図２Ｃ】
0005178925.tif 000006
【図３】
0005178925.tif 000007
【図４】
0005178925.tif 000008
【図５】
0005178925.tif 000009
【図６】
0005178925.tif 000010